(57)【要約】【課題】ハウジングに挿入された挿入体を排出するためのイジェクタ機構と、挿入体がハウジングに挿入された状態において挿入体をロックするロック部材とを備えたコネクタにおいて、ロック部材の保持力を向上させたコネクタを提供する。【解決手段】コネクタ１において、挿入体７０の挿入完了状態において挿入体７０をロックするロック部材６０は、挿入体７０の挿入を許容する第１位置と、挿入体７０をロックする第２位置との間を回転可能にハウジング１０に軸支される。そして、ロック部材６０は、第１位置にあるときに挿入体７０が挿入されると、押圧部材４１の他端４１ｂにより押圧されて第２位置まで回転して挿入体７０の被係止部７７に係止し、第２位置にあるときに挿入体７０を排出しようとすると、押圧部材４１の他端４１ｂにより第１位置への回転が阻止されるようになっている。【選択図】図８
0003189345.tif 000002
【実用新案登録請求の範囲】
【請求項１】
挿入体が挿入されるハウジングと、該ハウジングに固定された複数のコンタクトと、前記ハウジングに挿入された前記挿入体を排出するためのイジェクタ機構と、前記挿入体の挿入完了状態において前記挿入体をロックするロック部材とを備えたコネクタであって、
前記イジェクタ機構は、前記ハウジングに回転可能に軸支され、前記ハウジングに挿入された前記挿入体を排出するイジェクトアームと、外部から押圧されることにより一端で前記イジェクトアームを駆動する押圧部材とを備え、
前記ロック部材は、前記挿入体の挿入を許容する第１位置と、前記挿入体をロックする第２位置との間を回転可能に前記ハウジングに軸支されると共に、前記第１位置にあるときに前記挿入体が挿入されると、前記押圧部材の他端により押圧されて前記第２位置まで回転して前記挿入体の被係止部に係止し、前記第２位置にあるときに前記挿入体を排出しようとすると、前記押圧部材の他端により前記第１位置への回転が阻止されるようになっていることを特徴とするコネクタ。
【請求項２】
前記ロック部材は、前記挿入体の挿入時に前記押圧部材の他端により押圧される被押圧部と、前記第２位置にあるときに前記挿入体の被係止部に係止する係止部と、前記第２位置にあるときに前記押圧部材の他端に当接する当接部とを備えていることを特徴とする請求項１記載のコネクタ。
【請求項３】
前記被押圧部が直線状に形成され、前記係止部が前記被押圧部に対して直交する直線状に形成され、前記当接部が前記被押圧部と前記係止部とを連結するように形成されていることを特徴とする請求項２記載のコネクタ。
【請求項４】
前記当接部は、前記押圧部材の他端に当接する面が前記被押圧部及び前記係止部の双方に対して傾斜する傾斜面となっていることを特徴とする請求項３記載のコネクタ。
【請求項５】
前記ロック部材の回転範囲が９０°であることを特徴とする請求項１乃至４のうち何れか一項に記載のコネクタ。
【請求項６】
前記ロック部材は、金属部材であることを特徴とする請求項１乃至５のうち何れか一項に記載のコネクタ。
【請求項７】
前記挿入体は、カードを搭載したカード用トレイであることを特徴とする請求項１乃至６のうち何れか一項に記載のコネクタ。
【請求項８】
前記挿入体は、カード単体であることを特徴とする請求項１乃至６のうち何れか一項に記載のコネクタ。
【請求項９】
前記挿入体は、カード用トレイ単体であることを特徴とする請求項１乃至６のうち何れか一項に記載のコネクタ。
【考案の詳細な説明】
【技術分野】
【０００１】
本考案は、ハウジングに挿入された挿入体を排出するためのイジェクタ機構と、挿入体がハウジングに挿入された状態において挿入体をロックするロック部材とを備えたコネクタに関する。
【背景技術】
【０００２】
従来、メモリカードやＳＩＭ（加入者識別モジュール）カードなどの挿入体が挿入されるコネクタは、挿入体を排出するためのイジェクタ機構と、ハウジングに挿入された挿入体をロックするロック部材とを備えていることが多い。
従来のこの種のコネクタとして、例えば、特許文献１に示すコネクタが提案されている。
【０００３】
特許文献１に示すコネクタは、ハウジングに挿入された挿入体を排出するためのイジェクタ機構と、挿入体がハウジングに挿入された状態において挿入体をロックするロック部とを備えている。イジェクタ機構は、ハウジングに回転可能に軸支されたイジェクトアームと、外部から押圧されることにより一端でイジェクトアームを駆動する押圧部材とを備えている。
【０００４】
ここで、ロック部は、イジェクタ機構の押圧部材から延びる弾性変形可能な板ばね部の先端に設けられている。このロック部は、板の主面の法線方向が挿入体の挿入方向と直交するハウジングの幅方向を向くように、幅方向内側に湾曲して突出している。そして、ロック部は、挿入体がハウジングに挿入された状態において挿入体の側面に設けられた凹部に入り込み、挿入体の排出を防止する。なお、ロック部の先端は、ストッパに係止されており、ロック部の先端の変位が防止されている。
【先行技術文献】
【特許文献】
【０００５】
【特許文献１】特開２０１３−５１１３４号公報
【考案の概要】
【考案が解決しようとする課題】
【０００６】
しかしながら、この従来の特許文献１に示したコネクタにあっては、以下の問題点があった。
即ち、ロック部が、弾性変形可能な板ばね部の先端に設けられ且つ幅方向内側に湾曲して突出しているので、挿入体がハウジングに挿入された状態でロック部に過大な荷重がかかると、挿入体がハウジングから脱落してしまうことがある。つまり、挿入体がハウジングに挿入された状態で例えばコネクタが落下したり激しく振動したりすると、ロック部に過大な荷重がかかる。ロック部に過大な荷重がかかると、幅方向内側に湾曲して突出しているロック部が潰れる方向に変形してしまうのである。ロック部の先端はストッパに係止されてロック部の先端の変位は防止されているものの、ロック部が延びる基端から先端までは容易に変形が可能であるので、過大な荷重がかかった際に、ロック部は潰れる方向に変形する。
【０００７】
従って、本考案はこの問題点に鑑みてなされたものであり、その目的は、ハウジングに挿入された挿入体を排出するためのイジェクタ機構と、挿入体がハウジングに挿入された状態において挿入体をロックするロック部材とを備えたコネクタにおいて、ロック部材の保持力を向上させたコネクタを提供することにある。
【課題を解決するための手段】
【０００８】
上記目的を達成するために、本考案のある態様に係るコネクタは、挿入体が挿入されるハウジングと、該ハウジングに固定された複数のコンタクトと、前記ハウジングに挿入された前記挿入体を排出するためのイジェクタ機構と、前記挿入体の挿入完了状態において前記挿入体をロックするロック部材とを備えたコネクタであって、前記イジェクタ機構は、前記ハウジングに回転可能に軸支され、前記ハウジングに挿入された前記挿入体を排出するイジェクトアームと、外部から押圧されることにより一端で前記イジェクトアームを駆動する押圧部材とを備え、前記ロック部材は、前記挿入体の挿入を許容する第１位置と、前記挿入体をロックする第２位置との間を回転可能に前記ハウジングに軸支されると共に、前記第１位置にあるときに前記挿入体が挿入されると、前記押圧部材の他端により押圧されて前記第２位置まで回転して前記挿入体の被係止部に係止し、前記第２位置にあるときに前記挿入体を排出しようとすると、前記押圧部材の他端により前記第１位置への回転が阻止されるようになっていることを特徴としている。
【０００９】
また、このコネクタにおいて、前記ロック部材は、前記挿入体の挿入時に前記押圧部材の他端により押圧される被押圧部と、前記第２位置にあるときに前記挿入体の被係止部に係止する係止部と、前記第２位置にあるときに前記押圧部材の他端に当接する当接部とを備えていることが好ましい。
更に、このコネクタにおいて、前記被押圧部が直線状に形成され、前記係止部が前記被押圧部に対して直交する直線状に形成され、前記当接部が前記被押圧部と前記係止部とを連結するように形成されているとよい。
【００１０】
また、このコネクタにおいて、前記当接部は、前記押圧部材の他端に当接する面が前記被押圧部及び前記係止部の双方に対して傾斜する傾斜面となっていることが好ましい。
また、このコネクタにおいて、前記ロック部材の回転範囲が９０°であることが好ましい。
また、このコネクタにおいて、前記ロック部材は、金属部材であることが好ましい。
【００１１】
また、このコネクタにおいて、前記挿入体は、カードを搭載したカード用トレイであることが好ましい。
また、このコネクタにおいて、前記挿入体は、カード単体であってもよい。
更に、前記挿入体は、カード用トレイ単体であってもよい。
【考案の効果】
【００１２】
本考案に係るコネクタによれば、ロック部材は、挿入体の挿入を許容する第１位置と、挿入体をロックする第２位置との間を回転可能にハウジングに軸支されると共に、第１位置にあるときに挿入体が挿入されると、押圧部材の他端により押圧されて第２位置まで回転して挿入体の被係止部に係止する。そして、ロック部材は、第２位置にあるときに挿入体を排出しようとすると、押圧部材の他端により第１位置への回転が阻止される。このため、ロック部材により挿入体の排出を確実に阻止でき、ロック部材の保持力を向上させることができる。
【図面の簡単な説明】
【００１３】
【図１】本考案に係るコネクタをカードを搭載したカード用トレイ及びピンとともに示す斜視図である。
【図２】図１に示すコネクタと、カードを搭載したカード用トレイと、ピンとを分解して示す、右斜め前方から視た分解斜視図である。
【図３】図１に示すコネクタと、カードを搭載したカード用トレイと、ピンとを分解して示す、左斜め前方から視た分解斜視図である。
【図４】カードとカード用トレイとを示す斜視図である。
【図５】カードを搭載したカード用トレイがハウジングに挿入される前の状態の図１に示すコネクタからシェルを取り外した状態を示し、（Ａ）は平面図、（Ｂ）は（Ａ）における５Ｂ−５Ｂ線に沿う断面図である。
【図６】カードを搭載したカード用トレイの挿入が完了した状態からシェルを取り外した状態を示し、（Ａ）は平面図、（Ｂ）は（Ａ）における６Ｂ−６Ｂ線に沿う断面図である。但し、図６においては、カードを搭載したカード用トレイは図示していない。
【図７】カードを搭載したカード用トレイがハウジングに挿入されてイジェクトアームの他端に当接した状態からシェルを取り外した状態を示し、（Ａ）は平面図、（Ｂ）は右側面図である。
【図８】カードを搭載したカード用トレイの挿入が完了した状態からシェルを取り外した状態を示し、（Ａ）は平面図、（Ｂ）は右側面図である。
【図９】カードを搭載したカード用トレイの挿入が完了した状態からピンが押圧部材の他端に当接した状態を示し、（Ａ）は平面図、（Ｂ）は右側面図である。
【図１０】図９に示す状態からピンの押圧が進行し、カードを搭載したカード用トレイの排出が完了した状態を示し、（Ａ）は平面図、（Ｂ）は右側面図である。
【考案を実施するための形態】
【００１４】
以下、本考案の実施の形態を図面を参照して説明する。
図１に示すコネクタ１は、図示しない回路基板上に実装される。そして、コネクタ１には、図１に示すように、メモリカード、ＳＩＭカード等のカードＣを搭載した、挿入体としてのカード用トレイ７０が挿入及び排出される。このカード用トレイ７０は、図１及び図５乃至図８において矢印Ｘで示すトレイ挿入方向（前から後ろ向き）にコネクタ１に挿入される。また、カード用トレイ７０は、図１、図５、図６、図９及び図１０において矢印Ｙで示すトレイ排出方向（後から前向き）にピン８０を用いてコネクタ１から排出される。カード用トレイ７０に搭載されたカードＣがコネクタ１に挿入されることにより、カードＣと回路基板との電気的接続が達成される。
【００１５】
ここで、カード用トレイ７０は、図２乃至図４に示すように、幅方向（図２おける左右方向）及び前後方向（図２における下方を前方、上方を後方）に延びる略矩形状のカード保持体７１を備えている。カード保持体７１には、カードＣを収容する凹部７１ａが形成されている。カード保持体７１の前部には、幅方向にカード保持体７１よりも突出するように延びる前端壁７２が設けられている。そして、前端壁７２の後面であってカード保持体７１よりも幅方向に突出した部分には、筒状部７３が形成されている。そして、筒状部７３には、前端壁７２の前面から筒状部７３の後端面を貫通するピン用貫通孔７４が形成されている。なお、カード保持体７１の凹部７１ａの底壁には、図４に示すように、大きな矩形状の開口７１ｂが形成されている。この開口７１ｂは、後述するコネクタ１の複数のコンタクト２０がカードＣの裏面に形成された複数の接触パッド（図示せず）に接触することを可能にするものである。
【００１６】
また、カード用トレイ７０のカード保持体７１の幅方向右側面には、図４に示すように、後方部に位置する第１凹部７５ａと、前後略中央部に位置する第２凹部７５ｂと、前方部に位置する凹状の被係止部７７とが設けられている。一方、カード用トレイ７０のカード保持体７１の幅方向左側面には、図７（Ａ）に示すように、第１凹部７５ａと幅方向で対称に位置する第３凹部７６ａと、第２凹部７５ｂと幅方向に対称に位置する第４凹部７６ｂとが設けられている。
【００１７】
次に、コネクタ１は、図１乃至図３、図５（Ａ）,（Ｂ）及び図６（Ａ）,（Ｂ）に示すように、合成樹脂製のハウジング１０と、金属製の複数のコンタクト２０と、金属製のシェル３０と、イジェクタ機構４０と、ロック機構５０と、ロック部材６０とを備えている。
ここで、ハウジング１０は、図５（Ａ）に示すように、幅方向（図５（Ａ）における左右方向）及び前後方向（図５（Ａ）における下方を前方、上方を後方）に延びる略矩形状に形成された底壁１１を備えている。この底壁１１の幅方向左縁には左側壁１２が設けられ、側壁１１の幅方向右縁には右側壁１３が設けられている。また、底壁１１の後縁には、後壁１４が設けられている。そして、ハウジング１０の底壁１１上には、前側が開放しているトレイ挿入空間１５が形成されている。カードＣを搭載したカード用トレイ７０は、図１に示すように、ハウジング１０の前側からトレイ挿入空間１５内に挿入されて、矢印Ｘで示すトレイ挿入方向に進行する。また、カードＣを搭載したカード用トレイ７０は、トレイ挿入空間１５から矢印Ｙで示すトレイ排出方向にピン８０を用いて排出される。また、底壁１１のトレイ挿入空間１５の幅方向右側には、後述するロック機構５０の第１ロック部材５１を固定する固定部１６が設けられている。また、底壁１１のトレイ挿入空間１５の幅方向右側であって固定部１６の前方には、後述するロック部材６０を取り付けるための取付台座１７が設けられている。取付台座１７は、図５（Ｂ）に示すように、底壁１１から上方に突出するよう形成され、その上面に取付けられたロック部材６０と底壁１１との間が所定間隔空くようになっている。
【００１８】
また、複数のコンタクト２０は、図５（Ａ），（Ｂ）に示すように、ハウジング１０の幅方向に沿って底壁１１に前後２列状に配置されている。各コンタクト２０は、トレイ挿入空間１５に挿入されたカードＣの裏面に設けられた接触パッドに接触するとともに、回路基板に接続される。各コンタクト２０は、導電性金属板を打抜き及び曲げ加工することによって形成される。
【００１９】
また、シェル３０は、図１乃至図３に示すように、ハウジング１０の上側に装着される。シェル３０は、図１に示すように、ハウジング１０の上面を覆う平面部３１と、ハウジング１０の幅方向両側面を覆う１対の側面部３２と、ハウジング１０の後面を覆う後面部３３とを備えている。平面部３１は、ハウジング１０の幅方向及び前後方向に延びる。各側面部３２は、平面部３１の幅方向各側面から下方に延びる。また、後面部３３は、平面部３１の後面から下方に延びている。シェル３０は、導電性金属板を打抜き及び曲げ加工することによって形成される。
【００２０】
更に、イジェクタ機構４０は、トレイ挿入空間１５に挿入されたカードＣを搭載したカード用トレイ７０を排出するものであり、図５（Ａ）及び図６（Ａ）に示すように、イジェクトアーム４２と、押圧部材４１とを備えている。
イジェクトアーム４２は、ハウジング１０の底壁１１の後端部近傍に設けられた回転軸４３に対して回転可能に軸支されている。イジェクトアーム４２は、金属製の平板状部材で、イジェクトアーム４２の一端４２ａはハウジング１０の幅方向右端近傍に位置し、他端４２ｂはカード用トレイ挿入空間１５内に位置している。イジェクトアーム４２は、図９（Ａ）及び図１０（Ａ）に示すように、その他端４２ｂでトレイ挿入空間１５に挿入されたカード用トレイ７０の後縁を押圧してカード用トレイ７０を排出する。
【００２１】
また、押圧部材４１は、ハウジング１０の幅方向右端近傍に配置され、後方向（トレイ挿入方向Ｘ）及び前方向（トレイ排出方向Ｙ）にスライドする。そして、押圧部材４１は、金属製の板状部材で構成され、ハウジング１０に設けられた固定部１６の幅方向右側面１６ａと右側壁１３の幅方向左側面１３ａとの間に、板の主面の法線方向がハウジング１０の幅方向と一致するように配置される。押圧部材４１のスライド動作は、固定部１６の幅方向右側面１６ａと右側壁１３の幅方向左側面１３ａとにより案内される。また、押圧部材４１の一端４１ａは、ハウジング１０の後方側に位置し、幅方向内側に曲げられてその後面でイジェクトアーム４２の一端４２ａに接触する。また、押圧部材４１の他端４１ｂは、ハウジング１０の前方側に位置し、幅方向内側に曲げられてその前面をピン８０が押圧するようになっている（図９（Ａ），（Ｂ）参照）。
【００２２】
そして、押圧部材４１の他端４１ｂがピン８０により後方向に押圧されると、押圧部材４１は後方向Ｘにスライド動作する。すると、押圧部材４１の一端４１ａがイジェクトアーム４１の一端４２ａを後方向に押圧し、イジェクトアーム４２が回転軸４３を中心に平面から視て反時計回りに回転する。これにより、イジェクトアーム４２の他端４２ｂが前方向（トレイ排出方向）にカード用トレイ７０を移動させるのである。
【００２３】
また、ロック機構５０は、カード用トレイ７０の挿入が完了した状態において、そのカード用トレイ７０をロックするものである。このロック機構５０は、図５（Ａ）及び図６（Ａ）に示す第１ロック部材５１と、図２及び図３に示す第２ロック部材５２とからなっている。
第１ロック部材５１は、ハウジング１０に設けられた固定部１６に圧入固定される金属製の板ばね部材である。第１ロック部材５１は、その後端部に固定部１６に圧入固定される圧入固定部５１ａを備え、前端部に幅方向内側に湾曲状態で突出するロック部５１ｂを備えている。ロック部５１ｂは、図７（Ａ）に示すように、カード用トレイ７０がハウジング１０に挿入される途中でカード用トレイ７０の第１凹部７５ａに入り込む。そして、カード用トレイ７０の挿入が完了すると、ロック部５１ｂは、図８（Ａ）に示すように、第２凹部７５ｂに入り込む。
【００２４】
また、第２ロック部材５２は、図３に示すように、金属製のシェル３０の左側の側面部３２から片持ち梁状に前方に向けて延びるばねアーム部５２ａと、ばねアーム部５２ａの前端に設けられたロック部５２ｂとを備えている。ロック部５２ｂは、幅方向内側に湾曲状態で突出している。そして、ロック部５２ｂは、図示はしないが、カード用トレイ７０がハウジング１０に挿入される途中でカード用トレイ７０の第３凹部７６ａに入り込む。そして、カード用トレイ７０の挿入が完了すると、ロック部５１ｂは、図示はしないが、第４凹部７６ｂに入り込む。
【００２５】
第１ロック部材５１のロック部５１ｂが第２凹部７５ｂに入り込み、第２ロック部材５２のロック部５２ｂが第４凹部７６ｂに入り込むことにより、挿入が完了したカード用トレイ７０がロックされる。
そして、コネクタ１には、ロック機構５０とは別個に、カード用トレイ７０の挿入完了状態においてカード用トレイ７０をロックするロック部材６０が設けられている。このロック部材６０は、金属製部材で、ハウジング１０に設けられた取付台座１７の上面から突出する回転軸６４に対して回転可能に軸支されている。
【００２６】
ロック部材６０は、カード用トレイ７０の挿入を許容する第１位置（図５（Ａ），（Ｂ）参照）と、カード用トレイ７０をロックする第２位置（図６（Ａ）,（Ｂ）参照）との間を、９０°の範囲で回転する。ロック部材６０は、取付台座１７の上面に設けられた図示しない摩擦付与部によりわずかな摩擦力が付与され、カード用トレイ７０の挿入の際に、その第１位置を維持する。
【００２７】
そして、このロック部材６０は、図７（Ａ）に示す第１位置にあるときにカード用トレイ７０が挿入されると、図８（Ａ）に示すように、押圧部材４１の他端４１ｂにより押圧されて図８（Ａ）に示す第２位置まで回転する（回転方向は図７（Ａ）に矢印ａで示す時計回り方向）。これにより、ロック部材６０は、カード用トレイ７０の被係止部７７に係止する。そして、ロック部材６０が第２位置にあるときにカード用トレイ７０を排出しようとすると、押圧部材４１の他端４１ｂにより第１位置への回転が阻止される（すなわち、図８（Ａ）に矢印ｂで示す反時計回り方向へのロック部材６０の回転が阻止される）。
【００２８】
そして、この機能を実現するために、ロック部材６０は、図５（Ａ）乃至図８（Ａ）に示すように、カード用トレイ７０の挿入時に押圧部材４１の他端４１ｂにより押圧される被押圧部６１と、第２位置にあるときにカード用トレイ７０の被係止部７７に係止する係止部６２とを備えている。また、ロック部材６０は、第２位置にあるときに押圧部材４１の他端４１ｂに当接する当接部６３を備えている。
【００２９】
そして、このロック部材６０は、図５（Ａ）乃至図８（Ａ）に示すように、平面から視て略Ｌ字形をなし、被押圧部６１が直線状に形成され、係止部６２が被押圧部６１に対して直交する直線状に形成されている。また、当接部６３が被押圧部６１と係止部６２とを連結するように形成されている。ここで、当接部６３は、押圧部材４１の他端４１ｂに当接する面が、図８（Ａ）に示すように、被押圧部６１及び係止部６２の双方に対して傾斜する傾斜面６３ａとなっている。
【００３０】
次に、図５、図７、図８、図９、及び図１０を参照して、イジェクト機構４０の動作、ロック機構５０の動作及びロック部材６０の動作につき、詳細に説明する。
まず、ハウジング１０にカードＣを搭載したカード用トレイ７０が挿入されていない状態では、図５（Ａ）に示すように、イジェクト機構４０の押圧部材４１は最後方に位置し、イジェクトアーム４２の他端４２ｂはトレイ挿入空間１５内に位置している。また、ロック機構５０の第１ロック部材５１のロック部５１ｂはハウジング１０の幅方向内側（左側）に位置している。また、ロック機構５０の第２ロック部材５２のロック部５２ｂは、図示はしないが、ハウジング１０の幅方向内側（右側）に位置している。更に、ロック部材６０は第１位置に位置する。この結果、被押圧部６１の直線状に延びる方向がハウジング１０の幅方向と一致し、係止部６２の直線状に延びる方向がハウジングの前後方向（矢印Ｘで示すトレイ挿入方向及び矢印Ｙで示すトレイ排出方向）と一致している。
【００３１】
そして、図７（Ａ）に示すように、カードＣを搭載したカード用トレイ７０がトレイ挿入空間１５内に挿入されると、カード用トレイ７０の先端がイジェクトアーム４２の他端４２ｂに当接する。この際に、カード用トレイ７０は、ロック部材６０の係止部６２の内側を通る。そして、ロック機構５０の第１ロック部材５１のロック部５１ｂがカード用トレイ７０の第１凹部７５ａに入り込むとともに、第２ロック部材５２のロック部５２ｂがカード用トレイ７０の第２凹部７６ａに入り込む。
【００３２】
次いで、カード用トレイ７０の挿入が進行すると、カード用トレイ７０の先端がイジェクトアーム４２の他端４２ｂを押圧し、イジェクトアーム４２が時計回り方向に回転する。これにより、イジェクトアーム４２の一端４２ａに押圧されて押圧部材４１が前方向（トレイ排出方向）にスライドし、図示はしないが押圧部材４１の他端４１ｂがロック部材６０の被押圧部６１に当接する。この際に、ロック機構５０の第１ロック部材５１のロック部５１ｂはカード用トレイ７０の第１凹部７５ａから出る。また、第２ロック部材５２のロック部５２ｂもカード用トレイ７０の第３凹部７６ａから出る。
【００３３】
更に、図８（Ａ）に示すように、カード用トレイ７０の挿入が完了すると、ロック機構５０の第１ロック部材５１のロック部５１ｂはカード用トレイ７０の第２凹部７５ｂに入り込む。また、第２ロック部材５２のロック部５２ｂもカード用トレイ７０の第４凹部７６ｂに入り込む。これにより、カード用トレイ７０はロックされる。
また、図８（Ａ）に示すようにカード用トレイ７０の挿入が完了するときには、カード用トレイ７０の先端がイジェクトアーム４２の他端４２ｂを押圧し、イジェクトアーム４２が更に時計回り方向に回転する。これにより、イジェクトアーム４２の一端４２ａに押圧されて押圧部材４１が更に前方向（トレイ排出方向Ｙ）にスライドする。これにより、ロック部材６０が押圧部材４１の他端４１ｂにより押圧されて第２位置まで回転する（回転方向は図７（Ａ）に矢印ａで示す時計回り方向）。この際に、押圧部材４１の他端４１ｂは、ロック部材６０の被押圧部６１から当接部６３の傾斜面６３ａに接触し続ける。ロック部材６０が第２位置になると、被押圧部６１の直線状に延びる方向がハウジング１０の前後方向と一致し、係止部６２の直線状に延びる方向がハウジングの幅方向と一致する。そして、ロック部材６０が第２位置になると、ロック部材６０の係止部６２がカード用トレイ７０の被係止部７７に入り込んで係止する。また、ロック部材６０の当接部６３の傾斜面６３ａは、前述したように、押圧部材４１の他端４１ｂに当接している。ロック部材６０が第２位置にあるときにカード用トレイ７０を排出しようとすると、カード用トレイ７０の被係止部７７の後縁が係止部６２を押圧するため、ロック部材６０は第１位置へ回転しようとする。即ち、ロック部材６０は、図８（Ａ）に示す矢印ｂで示す反時計周り方向に回転しようとする。しかし、ロック部材６０の当接部６３が押圧部材４１の他端４１ｂに当接しているので、ロック部材６０の第１位置への回転は押圧部材４１の他端４１ｂにより阻止される。このため、ロック部材６０によりカード用トレイ７０の排出を確実に阻止でき、ロック部材６０の保持力を向上させることができる。これにより、カード用トレイ７０がハウジング１０に挿入された状態で例えばコネクタ１が落下したり激しく振動したりしても、カード用トレイ７０がハウジング１０から脱落することはない。
【００３４】
そして、当接部６３が押圧部材４１の他端４１ｂに当接する面は、被押圧部６１及び係止部６２の双方に対して傾斜する傾斜面６３ａとなっている。このため、傾斜面６３ａが押圧部材４１の他端４１ｂに当接している際に、ロック部材６０が図８（Ａ）に示す矢印ｂで示す反時計周り方向に回転しようとすると、矢印ｄで示す幅方向右側かつ後方に向かう斜めの力が押圧部材４１の他端４１ｂに作用する。この斜めの力により、押圧部材４１がその幅方向右側にある右側壁１３に押し付けられることになるので、押圧部材４１はスライド困難となる。このため、押圧部材４１によるロック部材６０の第１位置への回転に対する阻止力が向上する。
【００３５】
また、当接部６３が押圧部材４１の他端４１ｂに当接する面を傾斜面６３ａとすることにより、ロック部材６０が第１位置から第２位置へ回転する際に、当接部６３が邪魔にならず、ロック部材６０が円滑に回転できる。
また、ロック部材６０の回転範囲が９０°であるので、ロック部材６０を配置するスペースをコンパクトにすることができる。
【００３６】
更に、ロック部材６０は金属部材であるので、ロック部材６０の当接部６３が金属製の押圧部材４１の他端４１ｂに当接しロック部材６０の第１位置への回転を阻止する際に、変形するおそれは少ない。
なお、カード用トレイ７０は、ロック機構５０によってロックされるとともに、ロック部材６０によってもロックされるので、カード用トレイ７０の保持力をより一層向上させることができる。
【００３７】
次に、カード用トレイ７０の挿入が完了した状態からカード用トレイ７０を排出するときには、図９に示すように、ピン８０を用いてカード用トレイ７０を排出する。具体的に述べると、ピン８０をカード用トレイ７０のピン用貫通孔７４を挿通させてハウジング１０の前方から押圧部材４１の他端４１ｂに当接させる。この際に、ロック部材６０は取付台座７０の上面に取り付けられて底壁１１との間が所定間隔あいているので、図９（Ｂ）に示すように、ピン８０がロック部材６０に干渉することはない。
【００３８】
そして、ピン８０が押圧部材４１の他端４１ｂに当接した状態からピン８０を後方向（トレイ挿入方向Ｘ）に押圧する。すると、押圧部材４１が後方向にスライドし、押圧部材４１の一端４１ａがイジェクトアーム４２の一端４２ａを押圧し、イジェクトアーム４２が反時計回り方向に回転する。これにより、イジェクトアーム４２の他端４２ｂに押圧されてカード用トレイ７０が前方向（矢印Ｙで示すトレイ排出方向）に移動する。この際に、ロック機構５０の第１ロック部材５１のロック部５１ｂはカード用トレイ７０の第２凹部７５ｂから出る。また、第２ロック部材５２のロック部５２ｂもカード用トレイ７０の第４凹部７６ｂから出る。これにより、ロック機構５０によるカード用トレイ７０のロックが解除される。また、ロック部材６０は、カード用トレイ７０が前方向に移動するから、カード用トレイ７０の被係止部７７の縁部によって矢印ｂで示す反時計回り方向に回転する。このとき、押圧部材４１の他端４１ｂは、後方向に移動しているから、ロック部材６０の回転に支障はない。
【００３９】
ピン８０を後方向に更に押圧して、図１０に示すように、カード用トレイ７０の排出が完了すると、ロック機構５０の第１ロック部材５１のロック部５１ｂはカード用トレイ７０の第１凹部７５ａに入り込む。また、第２ロック部材５２のロック部５２ｂもカード用トレイ７０の第３凹部７６ａに入り込む。第１凹部７５ａ及び第３凹部７６ａは、図１０（Ａ）に示すように、その前後の縁が傾斜しているから、第１ロック部材５１のロック部５１ｂ及び第２ロック部材５２のロック部５２ｂの入り込み状態を容易に解除することができる。
【００４０】
また、図１０に示すように、カード用トレイ７０の排出が完了するときには、押圧部材４１が後方向に更にスライドし、押圧部材４１の一端４１ａがイジェクトアーム４２の一端４２ａを押圧し、イジェクトアーム４２が更に反時計回り方向に回転する。これにより、イジェクアーム４２の他端４２ｂに押圧されてカード用トレイ７０が更に前方向（トレイ排出方向Ｙ）に移動する。このとき、ロック部材６０は、反時計回り方向に更に回転して第１位置に至り、ロック部材６０の係止部６２はカード用トレイ７０の被係止部７７から出る。これにより、ロック部材６０によるカード用トレイ７０のロックが解除される。
【００４１】
そして、作業者は、図１０に示す状態からカードＣを搭載したカード用トレイ７０を引き出せばよい。
以上、本考案の実施形態について説明してきたが、本発明はこれに限定されずに種々の変更、改良を行うことができる。
例えば、コネクタ１に挿入される挿入体として、カードＣを搭載したカード用トレイ７０を例に説明したが、カードＣ単体であってもよいし、あるいは、カード用トレイ７０単体であってもよい。カードＣ単体を挿入体とする場合には、ロック部材６０が係止する被係止部をカードＣの側縁に形成する必要がある。
【００４２】
また、ロック部材６０は、平面から視て略Ｌ字形をなし、被押圧部６１が直線状に形成され、係止部６２が被押圧部６１に対して直交する直線状に形成されている必要は必ずしもない。また、ロック部材６０は、当接部６３が被押圧部６１と係止部６２とを連結するように形成されている必要は必ずしもない。
また、当接部６３は、ロック部材６０が第２位置にあるときに、押圧部材４１の他端４１ｂに当接すればよく、その当接面が被押圧部６１及び係止部６２の双方に対して傾斜する傾斜面６３ａとなっている必要は必ずしもない。
【００４３】
また、ロック部材６０の回転範囲は９０°である必要は必ずしもない。
更に、ロック部材６０は、金属部材である必要は必ずしもない。
なお、コネクタ１には、ロック部材６０の他に、ロック機構５０を設置してあるが、ロック機構５０は省略してもよい。
【符号の説明】
【００４４】
１  コネクタ
１０  ハウジング
２０  コンタクト
４０  イジェクタ機構
４１  押圧部材
４１ａ  押圧部材の一端
４１ｂ  押圧部材の他端
４２  イジェクトアーム
６０  ロック部材
６１  被押圧部
６２  係止部
６３  当接部
６３ａ  傾斜面
７０  カード用トレイ（挿入体）
７７  被係止部
Ｃ  カード
【図１】
0003189345.tif 000003
【図２】
0003189345.tif 000004
【図３】
0003189345.tif 000005
【図４】
0003189345.tif 000006
【図５】
0003189345.tif 000007
【図６】
0003189345.tif 000008
【図７】
0003189345.tif 000009
【図８】
0003189345.tif 000010
【図９】
0003189345.tif 000011
【図１０】
0003189345.tif 000012